(57)【要約】【課題】本考案は、ルーズリーフ式エコロジー布巾回収フレームを提供する。【解決手段】対応する嵌設孔が予めに設置されたエコロジー布巾が重ね合って嵌設される複数の柱体が備えられ、所定の柱体に、案内棒が設けられ、エコロジー布巾が、案内棒に沿って引き出されて使用され、また、使用して離すと、直接に、案内棒に吊り下げられて収集され、これにより、エコロジー布巾が、使用された後、あちこちに散らされることなく、清潔員による交換清浄が便利になる。【選択図】図１
0003149588.tif 000002
【実用新案登録請求の範囲】
【請求項１】
対応する嵌設孔が予めに設置されたエコロジー布巾が重ね合って嵌設される複数の柱体が備えられ、所定の柱体に、案内棒が設けられ、エコロジー布巾が、案内棒に沿って引き出されて使用され、また、使用して離すと、直接に、案内棒に吊り下げられて収集される、
ことを特徴とするルーズリーフ式エコロジー布巾回収フレーム。
【請求項２】
柱体が、中空状で、内部に、ロック素子によりロックされるためのロック孔が形成されることを特徴とする請求項１に記載のルーズリーフ式エコロジー布巾回収フレーム。
【請求項３】
柱体が、ベースフレームに結合されることを特徴とする請求項１に記載のルーズリーフ式エコロジー布巾回収フレーム。
【請求項４】
上記柱体と基座とが、貫設により結合されることを特徴とする請求項３に記載のルーズリーフ式エコロジー布巾回収フレーム。
【請求項５】
上記柱体と基座とが、半田付けにより固定されることを特徴とする請求項３に記載のルーズリーフ式エコロジー布巾回収フレーム。
【請求項６】
上記柱体と基座とが、一体成型であることを特徴とする請求項３に記載のルーズリーフ式エコロジー布巾回収フレーム。
【請求項７】
基座に、案内棒が挿設されるための係合スリーブが設けられることを特徴とする請求項３に記載のルーズリーフ式エコロジー布巾回収フレーム。
【請求項８】
案内棒が、湾曲状で、突起部を備えることを特徴とする請求項１に記載のルーズリーフ式エコロジー布巾回収フレーム。
【請求項９】
案内棒の一端や両端に、柱体が挿設されるための挿設係合部が設けられることを特徴とする請求項１に記載のルーズリーフ式エコロジー布巾回収フレーム。
【請求項１０】
エコロジー布巾に、引っ張り耳が設けられることを特徴とする請求項１に記載のルーズリーフ式エコロジー布巾回収フレーム。
【考案の詳細な説明】
【技術分野】
【０００１】
本考案は、フレーム体に関し、特に、エコロジー布巾が設置され、使用後のエコロジー布巾を自動に収集でき、清潔員が、簡単に交換して清浄できるルーズリーフ式エコロジー布巾回収フレームに関する。
【背景技術】
【０００２】
一般のホテルや公衆場所のトイレには、殆どに、トイレの後で、手を拭くための紙タオルや布巾が用意され、その中、布巾の快適性が、紙タオルより良いし、回収して清浄することにより、リサイクルでき、エコロジー利益が得られるため、大幅に利用される。しかしながら、今において、専用のエコロジー布巾回収フレームがないため、エコロジー布巾が、使用されてあちこちに捨てられ、清潔員が回収することに、非常に不便であり、また、ある人がそれを持ち出し、財物の損失に関わり、そのため、エコロジー布巾用の回収フレームが必要になる。
【０００３】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００４】
本考案の主な目的は、エコロジー布巾が使用されて離されると、直ちに、直接に、自動に収集され、清潔員による回収清浄が便利で、あちこちに捨てられて不清潔のイメージを招致することを防止できるルーズリーフ式エコロジー布巾回収フレームを提供する。
【０００５】
本考案の他の目的は、エコロジー布巾が使用されても、直接に、案内棒に吊り下げられ、盗まれることなく、財物の損失を防止できるルーズリーフ式エコロジー布巾回収フレームを提供する。
【課題を解決するための手段】
【０００６】
請求項１の考案は、対応する嵌設孔が予めに設置されたエコロジー布巾が重ね合って嵌設される複数の柱体が備えられ、所定の柱体に、案内棒が設けられ、エコロジー布巾が、案内棒に沿って引き出されて使用され、また、使用して離すと、直接に、案内棒に吊り下げられて収集されることを特徴とするルーズリーフ式エコロジー布巾回収フレームである。
【０００７】
請求項２の考案は、柱体が、中空状で、内部に、ロック素子によりロックされるためのロック孔が形成されることを特徴とする請求項１に記載のルーズリーフ式エコロジー布巾回収フレームである。
【０００８】
請求項３の考案は、柱体が、ベースフレームに結合されることを特徴とする請求項１に記載のルーズリーフ式エコロジー布巾回収フレームである。
【０００９】
請求項４の考案は、上記柱体と基座とが、貫設により結合されることを特徴とする請求項３に記載のルーズリーフ式エコロジー布巾回収フレームである。
【００１０】
請求項５の考案は、上記柱体と基座とが、半田付けにより固定されることを特徴とする請求項３に記載のルーズリーフ式エコロジー布巾回収フレームである。
【００１１】
請求項６の考案は、上記柱体と基座とが、一体成型であることを特徴とする請求項３に記載のルーズリーフ式エコロジー布巾回収フレームである。
【００１２】
請求項７の考案は、基座に、案内棒が挿設されるための係合スリーブが設けられることを特徴とする請求項３に記載のルーズリーフ式エコロジー布巾回収フレームである。
【００１３】
請求項８の考案は、案内棒が、湾曲状で、突起部を備えることを特徴とする請求項１に記載のルーズリーフ式エコロジー布巾回収フレームである。
【００１４】
請求項９の考案は、案内棒の一端や両端に、柱体が挿設されるための挿設係合部が設けられることを特徴とする請求項１に記載のルーズリーフ式エコロジー布巾回収フレームである。
【００１５】
請求項１０の考案は、エコロジー布巾に、引っ張り耳が設けられることを特徴とする請求項１に記載のルーズリーフ式エコロジー布巾回収フレームである。
【００１６】
以下、図面を参照しながら、本考案の特徴や技術内容について、詳しく説明するが、それらの図面等は、参考や説明のためであり、本考案は、それによって制限されることが無い。
【考案を実施するための最良の形態】
【００１７】
図１と２を参照しながら、本考案は、主として、ベースフレーム１の上段と中段に、夫々、四つの柱体２が貫設されるための両貫設孔１１が設置され、下段に、両係合スリーブ１２が設置され、上記柱体２が、中空状で、内部にロック孔２１があり、両案内棒３が、ベースフレーム１の中段に貫設された両柱体２と下段に設置された両係合スリーブ１２に挿設され、上記案内棒３が、湾曲状で、中段に、突起部３１があり、両端に、夫々、挿設係合部３２が設置される。
【００１８】
本考案によれば、図１、３と４のように、ロック素子を柱体２のロック孔２１に貫設して、ベースフレーム１とともに、壁面にロックして固定され、四つの柱体２によって、対応する嵌設孔Ａ１と引っ張り耳Ａ２が予めに設けられたエコロジー布巾Ａが重ね合って嵌設され、これにより、ユーザーが、引っ張り耳Ａ２で最上側のエコロジー布巾Ａを柱体２から外して、案内棒３にそって突起部３１まで引き出して使用してから、エコロジー布巾Ａを離すと、エコロジー布巾Ａが、自然に案内棒３に吊り下げられて収集され、清潔員がそれを交換することが容易になる。
【００１９】
図５のように、本考案によれば、ベースフレーム１ａの四隅に、それぞれ、四つの柱体２が貫設されるための貫設孔が設置され、上記柱体２が、中空状で、内部に、ロック孔２１があり、ベースフレーム１ａの下段に貫設された両柱体２に、両案内棒３ａの一端が挿設され、上記案内棒３ａが、湾曲状で、中段に、突起部３１ａがあり、その一端に、挿設係合部３２ａが設置され、もう一端が、開放状に設置される。
【００２０】
使用する時、ロック素子を柱体２のロック孔２１に貫設して、ベースフレーム１ａとともに、壁面にロックされて固定され、四つの柱体２により、対応する嵌設孔Ａ１と引っ張り耳Ａ２が予めに設けられたエコロジー布巾Ａが重ね合って嵌設され、これにより、ユーザーが、引っ張り耳Ａ２で最上側のエコロジー布巾Ａを柱体２から外して、案内棒３ａに沿って突起部３１ａまで引き出して使用してから、直接に、エコロジー布巾Ａを離すと、エコロジー布巾Ａが、自然に案内棒３ａに吊り下げられて収集され、清潔員がそれを交換することが容易になる。
【００２１】
図６のように、本考案によれば、ベースフレーム１ａの四隅に、夫々、四つの柱体２が貫設されるための貫設孔が設置され、上記柱体２が、中空状で、内部に、ロック孔２１があり、ベースフレーム１ａの下段に貫設された両柱体２に、案内棒３ｂの両端が挿設され、上記案内棒３ｂが、湾曲状で、両側に、夫々、突起部３１ｂがあり、両端に、夫々、挿設係合部３２ｂが設置される。
【００２２】
使用時、ロック素子を、柱体２のロック孔２１に貫設して、ベースフレーム１ａとともに、壁面にロックされて固定され、四つの柱体２により、対応する嵌設孔Ａ１と引っ張り耳Ａ２が予めに設けられたエコロジー布巾Ａが重ね合って嵌設され、これにより、ユーザーが、引っ張り耳Ａ２でエコロジー布巾Ａを柱体２から外して、案内棒３ｂに沿って突起部３１ｂまで引き出して使用してから、直接にエコロジー布巾Ａを離すと、エコロジー布巾Ａが、自然に案内棒３ｂに吊り下げられて収集され、清潔員がそれを交換することが容易になる。
【００２３】
図７のように、本考案によれば、ベースフレーム１ｂに、三つの柱体２が貫設されるための、三角形に配列された三つの貫設孔１１ｂが設置され、上記柱体２が、中空状で、内部に、ロック孔２１があり、ベースフレーム１ｂの下側に貫設された柱体２に、案内棒３ｂの一端が挿設され、上記案内棒３ｃが、湾曲状で、中段に、突起部３１ｃがあり、一端に、挿設係合部３２ｃが設置され、もう一端が、開放状に設置される。
【００２４】
使用する時、ロック素子を柱体２のロック孔２１に貫設して、ベースフレーム１ｂとともに、壁面にロックされて固定され、三つの柱体２によって、対応する嵌設孔Ａ１と引っ張り耳Ａ２が予めに設けられたエコロジー布巾Ａが重ね合って嵌設され、これにより、ユーザーが、引っ張り耳Ａ２でエコロジー布巾Ａを柱体２から外して、案内棒３ｃに沿って突起部３１ｃまで引き出して使用してから、直接にエコロジー布巾Ａを離すと、エコロジー布巾Ａが、自然に案内棒３ｃに吊り下げて収集され、清潔員がそれを交換することが容易になる。
【００２５】
また、図８のように、本考案によれば、ベースフレーム１ｃに、両柱体２が貫設されるための上下両貫設孔１１ｃが設置され、ベースフレーム１ｃの下側に貫設された柱体２に、案内棒３ｃの一端が挿設され、上記案内棒３ｃが、湾曲状で、中段に突起部３１ｃがあり、一端に、挿設係合部３２ｃが設置され、もう一端が、開放状に設置される。
【００２６】
図９のように、本考案によれば、ベースフレーム１ｄに、三つの柱体２が貫設されるための、上中下の三つの貫設孔１１ｄが設置され、ベースフレーム１ｄの中段と下段に貫設された柱体２に、案内棒３ｄの両端が挿設され、上記案内棒３ｄが、湾曲状で、中段に、突起部３１ｄがあり、両端に、夫々、挿設係合部３２ｄが設置される。
【００２７】
図１０と１１のように、本考案のベースフレーム１ｅは、大面積の片体に設置されてもよく、上記ベースフレーム１ｅに、上中下の三列の貫設孔１１ｅが設置され、柱体２が、エコロジー布巾Ａのサイズに応じて、適当な貫設孔１１ｅに嵌設され、また、中央位置に折り畳み線１２ｅが設置され、これにより、折り畳んで収納することができる。
【００２８】
上記の実施例の柱体２とベースフレーム１、１ａ、１ｂ、１ｃ、１ｄ、１ｅは、一体成型や半田付けによって固定されてもよく、また、上記の実施例において、基座１、１ａ、１ｂ、１ｃ、１ｄ、１ｅに、更に、防塵蓋が結合されてもよい。
【００２９】
上記の実施例の構造から、本考案は、次の利点が得られることが分かる。
【００３０】
１、エコロジー布巾Ａを使用した後、直接に離すと、エコロジー布巾Ａが、自然に案内棒に吊り下げられて収集され、清潔員による回収清浄が容易で、また、ユーザーによるあちこちに散らすことがない。
【００３１】
２、エコロジー布巾Ａが使用された後、直接に、案内棒に吊り下げて収集されるため、紛失することがない。
【００３２】
そのため、本考案は、より進歩的かつより実用的で、法に従って実用新案登録請求を出願する。
【００３３】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００３４】
【図１】本考案の第一実施例の立体分解図
【図２】本考案の第一実施例の立体組立て図
【図３】本考案の第一実施例の使用状態概念図
【図４】本考案の第一実施例の使用状態の概念図
【図５】本考案の第二実施例の立体分解図
【図６】本考案の第三実施例の立体分解図
【図７】本考案の第四実施例の立体分解図
【図８】本考案の第五実施例の立体組立て図
【図９】本考案第六実施例の立体組立て図
【図１０】本考案の第七実施例のベースフレームの立体図
【図１１】本考案の第七実施例のベースフレームの折り畳み状態の概念図
【符号の説明】
【００３５】
１、１ａ、１ｂ、１ｃ、１ｄ、１ｅ      ベースフレーム
１１、１１ｂ、１１ｃ、１１ｄ、１１ｅ  貫設孔
１２                                 
係合スリーブ
１２ｅ                               
折り畳み線
２                                   
柱体
２１                                 
ロック孔
３                                   
案内棒
３、３ａ、３ｂ、３ｃ、３ｄ            案内棒
３１、３１ａ、３１ｂ、３１ｃ、３１ｄ  突起部
３２、３２ａ、３２ｂ、３２ｃ、３２ｄ  挿設係合部
Ａ                    
エコロジー布巾
Ａ１                                 
嵌設孔
Ａ２                                 
引っ張り耳
【図１】
0003149588.tif 000003
【図２】
0003149588.tif 000004
【図３】
0003149588.tif 000005
【図４】
0003149588.tif 000006
【図５】
0003149588.tif 000007
【図６】
0003149588.tif 000008
【図７】
0003149588.tif 000009
【図８】
0003149588.tif 000010
【図９】
0003149588.tif 000011
【図１０】
0003149588.tif 000012
【図１１】
0003149588.tif 000013